(57)【特許請求の範囲】
【請求項１】
表示部と、
第１の発電機構を有し、前記表示部に表示される情報の書き換えに必要な電力を発生させる第１の発電部と、
第２の発電機構を有し、振動により電力を発生させる第２の発電部と、
前記表示部、前記第１の発電部および前記第２の発電部を格納する筺体と、
少なくとも前記第２の発電部により得られた電力が蓄えられる蓄電部と
を備え、
前記表示部に表示される情報を書き換えるための入力操作に応じて前記第１の発電機構が電力を発生するように構成され、
前記入力操作がなされた場合において、前記第１の発電機構が発生する電力が前記表示部に表示される情報を書き換えるために必要な電力に満たない場合に、前記蓄電部に蓄えられている電力が前記表示部に表示される情報を書き換えるための電力として使用されるように構成された
表示装置。
【請求項２】
前記筺体に対して移動自在または回転自在とされた可動部材を備え、
前記筺体と前記可動部材との間の相対運動に応じて、前記第１の発電機構が、前記表示部に表示される情報の書き換えに必要な電力を発生させるように構成された請求項１に記載の表示装置。
【請求項３】
前記筺体と前記可動部材との間の相対運動が、前記表示部の主面と平行な面内における
運動である請求項２に記載の表示装置。
【請求項４】
前記筺体の現在の移動方向または現在の傾きを検知するセンサを備える請求項１乃至３のいずれか１項に記載の表示装置。
【請求項５】
前記筺体が、全体として略平板状を成す請求項１乃至４のいずれか１項に記載の表示装置。
【発明の詳細な説明】
【技術分野】
【０００１】
本開示は、表示装置に関する。本開示は、特に、入力操作などに伴うユーザの動作より発電する機構を備える表示装置に関する。
【背景技術】
【０００２】
紙に印刷することにかえ、各種コンテンツを画像として画面上に表示する電子書籍が知られている。例えば、下記の特許文献１には、ユーザの操作を検知するタッチスクリーンを備える電子書籍が開示されている。電子書籍は、紙媒体の場合と比較して、大量のコンテンツを持ち運ぶことができ、情報の検索も容易であるという利点を有している。
【０００３】
一方、電子書籍は、一般的にコンテンツの表示または書き換えなどに電力を必要とするため、電子書籍が駆動用電源として蓄電池などを備えていることが一般的である。したがって、例えば、電子書籍のユーザが戸外でコンテンツを楽しむには、電子書籍の使用の前に、ユーザがあらかじめ蓄電池の充電を行っておく必要がある。
【０００４】
電子書籍が蓄電池を電源とする場合、ユーザによる電子書籍の使用に伴う電池残量の低下により、ユーザが電子書籍を使用できなくなることがある。また、ユーザが電子書籍を長時間使用せずにいた場合、自己放電により蓄電池の電池残量が低下し、ユーザが電子書籍を即時に起動できないこともある。電子書籍は、戸外での使用が想定されることから、ユーザが蓄電池の電池残量を気にせずに電子書籍を使用できることが望ましい。
【０００５】
電池残量が低下してしまった場合であっても、電子機器の使用を可能とするために、例えば、下記の特許文献２には、本体部に設けられた開閉可能な蓋部の開け閉めの際の衝撃力により発電し、電力を補うようにされた携帯電話が開示されている。下記の非特許文献１には、本体部に設けられた、フリッパー（flipper）と呼ばれる可動部がめくられることにより発電する電子書籍が開示されている。
【０００６】
しかしながら、特許文献２に開示される携帯電話では、携帯電話に必要とされる通話機能の発揮とは直接的に関連のない操作が必要となってしまう。非特許文献１に開示される電子書籍では、フリッパーが設けられることにより、コンテンツを表示するための画面のサイズが制限されてしまう。また、電子書籍の形状が、ユーザが片手で保持しにくい形状となってしまう。
【先行技術文献】
【特許文献】
【０００７】
【特許文献１】米国特許出願公開第２０１１／００５０５９４号明細書
【特許文献２】特開２００２−１９０６２７号公報
【非特許文献】
【０００８】
【非特許文献１】Nadeem Haidary ‘Portfolio’ 15 Bibliofile [online]. Nadeem Haidary, 2009. [retrieved on 2011-7-6]. Retrieved from the Internet: <URL：http://nadeemhaidary.com/bibliofile.html>.
【発明の概要】
【発明が解決しようとする課題】
【０００９】
ユーザが蓄電池の電池残量を気にせずに電子書籍を使用できることが望まれている。
【課題を解決するための手段】
【００１０】
本開示の好ましい実施態様は、
表示部と、
第１の発電機構を有し、表示部に表示される情報の書き換えに必要な電力を発生させる第１の発電部と、
第２の発電機構を有し、振動により電力を発生させる第２の発電部と、
表示部、第１の発電部および第２の発電部を格納する筺体と、
少なくとも第２の発電部により得られた電力が蓄えられる蓄電部と
を備え、
表示部に表示される情報を書き換えるための入力操作に応じて第１の発電機構が電力を発生するように構成され、
入力操作がなされた場合において、第１の発電機構が発生する電力が表示部に表示される情報を書き換えるために必要な電力に満たない場合に、蓄電部に蓄えられている電力が表示部に表示される情報を書き換えるための電力として使用されるように構成された
表示装置である。
【００１１】
本開示によれば、表示装置が、１以上の発電機構を含む。また、発電機構による発電が、ユーザによる入力操作と関連づけられている。ユーザによる入力操作とは、ユーザによる表示装置に対して画像の切り替えの指示を与えるための能動的な動作であり、例えば、電子書籍などにおけるページめくりのための入力操作である。すなわち、発電機構は、表示装置のユーザインターフェースを介して、ユーザの入力操作により発電を行う。発電により得られた電力は、表示部に表示される情報の書き換えに使用される。
【００１２】
本開示では、表示装置に対して、ユーザにより入力操作が行われるたびに、発電機構が発電を行う。したがって、表示装置の使用の前に、ユーザがあらかじめ蓄電池の充電を行う必要がない。また、発電機構による発電がユーザによる入力操作と関連づけられているため、発電に際して、表示装置の本来の機能の発揮とは直接的に関連のない操作をユーザが行う必要はない。
【００１３】
本明細書においては、「電子書籍」は、コンテンツ自体ではなく、コンテンツを表示するための媒体を指すものとする。したがって、本明細書における「電子書籍」には、情報端末などの各種の表示装置が含まれる。また、本明細書においては、「発電機」は、電磁誘導現象を利用したものに限られないものとする。なお、本明細書において、単に「ユーザ」という場合には、「ユーザ」は、電子書籍などの表示装置の操作を行う者を指すものとする。
【発明の効果】
【００１４】
少なくとも１つの実施例によれば、ユーザが蓄電池の電池残量を気にせずに使用できる電子書籍を提供することができる。
【図面の簡単な説明】
【００１５】
【図１】図１Ａは、第１の実施形態にかかる電子書籍の一構成例を示す平面図である。図１Ｂは、図１Ａに示す電子書籍の底面図である。
【図２】図２は、図１Ａおよび図１Ｂに示す電子書籍の一構成例を示すブロック図である。
【図３】図３は、第１の実施形態にかかるディスプレイ部の構成の一例を示す断面模式図である。
【図４】図４Ａは、エレクトレットを利用した発電機の一例を示す概略図である。図４Ｂは、エレクトレットを利用した発電機の他の一例を示す概略図である。図４Ｃは、回転子における、固定子との対向面を示す平面図である。図４Ｄは、固定子における、回転子との対向面を示す平面図である。
【図５】図５は、本開示の実施形態にかかる電子書籍における処理の一例を示すフローチャートである。
【図６】図６Ａ〜図６Ｄは、電子書籍のディスプレイ部に表示される画像の一例を示す図である。
【図７】図７Ａは、電子書籍の第１の構成例を示す平面図である。図７Ｂは、電子書籍のVII−VII断面を示す模式図である。
【図８】図８Ａは、電子書籍の使用状態を示す概略図である。図８Ｂは、ユーザが電子書籍の右端側を押しこんだときの電子書籍の断面を示す模式図である。図８Ｃは、ページめくりが実行された後の電子書籍を示す概略図である。
【図９】図９Ａおよび図９Ｂは、発電機がさらに配置された電子書籍の断面を示す模式図である。図９Ｃは、ページを逆方向に送るためのページめくりが実行された後の電子書籍を示す概略図である。
【図１０】図１０Ａおよび図１０Ｂは、上部ユニットがヒンジなどで結合された２つのパネルから構成された電子書籍の断面を示す模式図である。図１０Ｃは、ディスプレイ部に初期画面が表示された電子書籍を示す概略図である。
【図１１】図１１Ａは、電子書籍の第２の構成例を示す平面図である。図１１Ｂは、電子書籍のXI−XI断面を示す模式図である。図１１Ｃは、ユーザが下部ユニットを１８０°回転させたときの電子書籍を示す平面図である。図１１Ｄは、ページめくりが実行された後の電子書籍を示す平面図である。
【図１２】図１２Ａは、背面側に回転部材が配置された電子書籍の構成例を示す概略図である。図１２Ｂは、筺体内に配置されるとともに一部が筺体の外部に露出する回転部材を備えた電子書籍の構成例を示す概略図である。
【図１３】図１３Ａは、電子書籍の第３の構成例を示す概略図である。図１３Ｂは、筺体の一部にトラックボールが配置された電子書籍の構成例を示す概略図である。
【図１４】図１４Ａは、電子書籍の第４の構成例を示す平面図である。図１４Ｂは、電子書籍のXIV−XIV断面を示す模式図である。図１４Ｃは、図１４Ａに示す電子書籍の背面図である。
【図１５】図１５Ａは、電子書籍の第５の構成例を示す概略図である。図１５Ｂは、筺体の円筒形状の中心軸に垂直な断面を示す模式図である。図１５Ｃは、電子書籍の背面側に表示される画像の例を説明するための概略図である。
【図１６】図１６Ａは、電子書籍の第６の構成例を示す平面図である。図１６Ｂは、電子書籍のXVI−XVI断面を示す模式図である。図１６Ｃは、順送りが実行された後の電子書籍を示す平面図である。図１６Ｄは、逆送りが実行された後の電子書籍を示す平面図である。
【図１７】図１７Ａは、電子書籍の使用状態を示す概略図である。図１７Ｂは、ロールおよびシートの組と発電機とを２つ備える電子書籍の構成例を示す平面図である。
【図１８】図１８Ａは、電子書籍の第８の構成例を示す概略図である。図１８Ｂは、ページめくりが実行された後の電子書籍を示す概略図である。
【図１９】図１９Ａは、電子書籍の第９の構成例を示す平面図である。図１９Ｂは、順送りが実行された後の電子書籍を示す平面図である。図１９Ｃは、電子書籍に逆送りを指示するためのユーザの入力動作を説明するための図である。図１９Ｄは、逆送りが実行された後の電子書籍を示す平面図である。
【図２０】図２０Ａは、電子書籍の第１０の構成例を示す平面図である。図２０Ｂは、電子書籍に順送りを指示するためのユーザの入力動作を説明するための図である。
【図２１】図２１Ａは、コイルを少なくとも２つ備える電子書籍の構成例を示す平面図である。図２１Ｂは、電子書籍に逆送りを指示するためのユーザの入力動作を説明するための図である。
【図２２】図２２Ａは、第２の実施形態にかかる電子書籍の一構成例を示す平面図である。図２２Ｂは、図２２Ａに示す電子書籍の底面図である。
【図２３】図２３Ａは、電子書籍の第１１の構成例を示す平面図である。図２３Ｂは、順送りが実行された後の電子書籍を示す概略図である。
【図２４】図２４Ａは、電子書籍の第１２の構成例を示す平面図である。図２４Ｂは、順送りが実行された後の電子書籍を示す平面図である。
【図２５】図２５Ａは、電子書籍の他の構成例を示す平面図である。図２５Ｂは、順送りが実行された後の電子書籍を示す平面図である。
【発明を実施するための形態】
【００１６】
以下、電子書籍を例にとり、表示装置の実施形態について説明する。説明は、以下の順序で行う。
＜１．第１の実施形態＞
［電子書籍の概略的構成］
（ディスプレイ部）
（発電部）
（蓄電部）
（システム制御部）
（筺体）
［電子書籍の動作の概略］
「電子書籍の第１の構成例」
「電子書籍の第２の構成例」
「電子書籍の第３の構成例」
「電子書籍の第４の構成例」
「電子書籍の第５の構成例」
「電子書籍の第６の構成例」
「電子書籍の第７の構成例」
「電子書籍の第８の構成例」
「電子書籍の第９の構成例」
「電子書籍の第１０の構成例」
＜２．第２の実施形態＞
［電子書籍の概略的構成］
（発電部）
［電子書籍の動作の概略］
「電子書籍の第１１の構成例」
「電子書籍の第１２の構成例」
＜３．変形例＞
【００１７】
なお、以下に説明する実施形態は、表示装置の好適な具体例である。以下の説明においては、技術的に好ましい種々の限定が付されているが、特に本開示を限定する旨の記載がない限り、表示装置の例は、以下に示す実施形態に限定されないものとする。
【００１８】
＜１．第１の実施形態＞
［電子書籍の概略的構成］
図１Ａは、第１の実施形態にかかる電子書籍の一構成例を示す平面図である。図１Ｂは、図１Ａに示す電子書籍の底面図である。図２は、図１Ａおよび図１Ｂに示す電子書籍の一構成例を示すブロック図である。なお、図１Ａおよび図１Ｂならびに図２では、ディスプレイ部３を駆動するための駆動回路の図示を省略したが、以下の説明においても、同様とする。
【００１９】
図１Ａおよび図１Ｂに示すように、第１の実施形態にかかる電子書籍１は、ディスプレイ部３と、発電部５と、ディスプレイ部３および発電部５を格納する筺体７とを備えている。また、本開示の電子書籍１は、必要に応じて、発電部５で発生させた電力を蓄えるための蓄電部９を備える。
【００２０】
図１Ａに示すように、電子書籍１には、必要に応じて、カメラＣ１やマイクロフォンＭ１などが配置される。また、電子書籍１には、必要に応じて、ユーザの入力操作を支援する機能ボタンＦ１，Ｆ２などが配置される。機能ボタンにかえて、タッチセンサなどが配置されていてもよい。図１Ｂに示すように、例えば、電子書籍１の底部などに、電力を外部に取りだすためのジャックＪ１や外部インターフェースＩＦなどが配置されていてもよい。
【００２１】
図１Ａおよび図１Ｂに示すように、本開示の実施形態にかかる電子書籍は、筺体が全体として略平板状とされることにより、ユーザが使用する状態において、略平板状とされる。電子書籍が全体として略平板状であると、ユーザが電子書籍を持ち運びやすく、ユーザが電子書籍の操作を片手で容易に行うことができる。
【００２２】
上述したように、電子書籍１は、発電部５を備えている。発電部５は、少なくとも１種の発電機構を備える。発電機構は、例えば、ユーザによる電子書籍の操作に伴う動作（運動エネルギなど）を電気エネルギに変換する。発電部により得られた電力は、例えば、ディスプレイ部に供給され、ディスプレイ部に表示される情報を書き換えるために消費される。ここで、ユーザによる電子書籍の操作に伴う動作とは、具体的には、例えば、いわゆるページめくりである。
【００２３】
一般に、電子書籍では、ディスプレイ部に表示された画像の切り替えが紙媒体の書籍などにおけるページめくりに対応するが、電子書籍ではなく、紙媒体の書籍などを愛用する者もいまだ多い。紙媒体の書籍などを愛用する者が多い理由の一つは、電子書籍ではページめくりの感覚が得られにくいためであると推測される。そこで、本開示では、電子書籍に対して画像の切り替えの指示を与えるための能動的な動作と、発電機構による発電とが関連づけられている。
【００２４】
したがって、本開示によれば、電子書籍のユーザに対してページめくりの感覚を与えながら、ページめくりに対応する、画像の切り替えなどに必要な電力を得ることができる。すなわち、本開示によれば、電子書籍を戸外で使用する前の充電を必要としないので、電子書籍をより軽量かつ小型で扱いやすいものとすることができる。さらに、本開示によれば、電子書籍がユーザの能動的な動作により発電を行うので、電子書籍の駆動または蓄電池の充電のための特別な動作が必要とされることがない。
【００２５】
以下、ディスプレイ部３、発電部５、蓄電部９、システム制御部１６３および筺体７について、図１Ａおよび図１Ｂならびに図２を参照しながら、順に説明する。
【００２６】
（ディスプレイ部）
ディスプレイ部３は、ユーザの指示に応答してコンテンツを表示する。このとき、コンテンツに含まれる文字情報や映像情報は、静止画像としてディスプレイ部３に表示される。ディスプレイ部３に一度に表示される情報は、電子書籍の大きさの制約上、通常、コンテンツ全体の一部である。したがって、電子書籍は、一般的に、ユーザの指示をもとにして複数の画像を切り替えることにより、コンテンツの内容の全てを表示する。
【００２７】
ディスプレイ部３における表示方式としては、例えば、電気泳動方式、磁気泳動方式、ツイストボール方式、電子粉流体方式、液晶方式、感熱方式、電解析出方式、エレクトロウェッティング方式、フォトクロミック方式、エレクトロクロミック方式など、特に限定されないが、電子書籍の消費電力を低減する観点から、ディスプレイ部３に表示される情報の書き換えのための消費電力が小さいことが好ましい。蓄電池を不要とする観点から、ディスプレイ部３における表示方式としては、例えば、トナーディスプレイ方式やコレステリック液晶を利用する方式のように、表示された画像の保持のための電力消費がない、または表示された画像の保持のための電力消費が僅かであることが好ましい。
【００２８】
なお、ディスプレイ部３は、カラー表示であってもよく、モノクロ表示であってもよい。ディスプレイ部３が、入力操作の可能なタッチパネルとして構成されていてもよい。
【００２９】
ディスプレイ部３の情報表示方法の一例として、図３を参照しながら、いわゆるマイクロカプセル電気泳動方式による情報表示方法を以下に説明する。マイクロカプセル電気泳動方式は、一度表示された画像の保持に電力を必要としないため、ディスプレイ部３の情報表示方法として好適である。
【００３０】
図３は、第１の実施形態にかかるディスプレイ部の構成の一例を示す断面模式図である。図３に示すディスプレイ１８３は、上部ユニット１８７ｕと、上部ユニット１８７ｕに対向して配置された下部ユニット１８７ｂと、マイクロカプセル層（媒質層）１８９とを備える。上部ユニット１８７ｕは、透明基材１８６ｕおよび透明導電層１８８ｕからなり、透明基材１８６ｕの主面のうち、下部ユニット１８７ｂと対向する主面上に、透明導電層１８８ｕが形成されている。同様に、下部ユニット１８７ｂは、透明基材１８６ｂおよび透明導電層１８８ｂからなり、透明基材１８６ｂの主面のうち、上部ユニット１８７ｕと対向する主面上に、透明導電層１８８ｂが形成されている。透明導電層１８８ｕと透明導電層１８８ｂとの間に、マイクロカプセル層１８９が配置される。マイクロカプセル層１８９は、多数のマイクロカプセル１８０を含み、それぞれのマイクロカプセル１８０内には、例えば、黒色粒子および白色粒子が分散された透明な液体（分散媒）が封入されている。
【００３１】
マイクロカプセル１８０内の黒色粒子および白色粒子は、例えば、それぞれ正および負に帯電している。そのため、透明導電層１８８ｕおよび透明導電層１８８ｂに通電して、透明導電層１８８ｕと透明導電層１８８ｂとの間に電場を発生させることにより、例えば、透明導電層１８８ｕに近い側に黒色粒子を選択的に集めることができる。このとき、上部ユニット１８７ｕ側からディスプレイ１８３を観察すると、マイクロカプセル１８０が黒く見えることになる。透明導電層１８８ｕと透明導電層１８８ｂとの間の電場を反転させると、透明導電層１８８ｕに近い側に白色粒子が集まる。そのため、上部ユニット１８７ｕ側からディスプレイ１８３を観察すると、マイクロカプセル１８０が白く見えることになる。したがって、透明導電層１８８ｕと透明導電層１８８ｂとの間の電場の方向により、黒色または白色を選択的に表現することができる。
【００３２】
（発電部）
発電部５は、１以上の発電機構を含む。発電機構は、例えば、発電素子もしくは発電機またはこれらと機械的機構の組み合わせからなり、発電機構は、ユーザによる画像の切り替えの指示のための動作に伴う運動エネルギや熱エネルギなどを電気エネルギに変換する。発電部５が、ユーザによる画像の切り替えの指示のための動作から得られたエネルギを、弾性エネルギや熱エネルギなどとしていったん蓄積し、蓄積したエネルギを必要に応じて電気エネルギへの変換を行う発電システムとして構成されていてもよい。
【００３３】
ユーザによる画像の切り替えの指示のための動作としては、例えば、回す、スライドさせる、振る（揺する）、押す、たたく、曲げる（ひねる）、温めるなどの各種の動作が挙げられる。ユーザによる画像の切り替えの指示のための動作は、簡易な動作であることが好ましい。
【００３４】
電子書籍１において、発電機構の占める容積が、電子書籍１全体に対して大きすぎないことが好ましい。すなわち、例えば、発電機構が可動部分を備える場合、該可動部分の動作が平面内で完結することがより好ましい。
【００３５】
発電機構は、例えば、機械的な運動または温度差から電圧を発生させる発電素子を含む。発電素子としては、例えば、圧電素子（モノモルフ型、バイモルフ型、積層型など）、磁歪素子、熱電変換素子（ゼーベック効果やスピンゼーベック効果を利用するものなど）、焦電素子、光起電力素子などが挙げられ、発電素子が、これらの１種以上の組み合わされたハイブリッドタイプの発電素子であってもよい。発電機構が、発電素子と機械的機構との組み合わせによる発電モジュールとして構成されていてもよい。
【００３６】
または、例えば、発電機構が、部材間の相対運動により電圧を発生する発電機として構成されていてもよい。部材間の相対運動により電圧を発生する発電機としては、例えば、電磁誘導現象を利用するもの、エレクトレットを利用するものなどが挙げられる。
【００３７】
図４Ａは、エレクトレットを利用した発電機の一例を示す概略図である。図４Ａに示すように、発電機１９３では、金属などからなる導体基板１９２とエレクトレット１９４とが対向して配置されている。エレクトレットは、電荷が打ち込まれた誘電体であり、半永久的に静電場を発生させることができる。エレクトレット１９４が静電場を形成するため、導体基板１９２のうち、エレクトレット１９４と対向する部分には、エレクトレット１９４が形成する静電場によって誘導電荷が生じる。したがって、例えば、導体基板１９２またはエレクトレット１９４を直線運動させて導体基板１９２とエレクトレット１９４とが重なり合う部分の面積を変化させると、導体基板１９２に誘導される電荷量が変化する。すなわち、発電機１９３の外部に電流が取り出され、負荷１９０には電流が流れる。導体基板１９２とエレクトレット１９４との間の距離が変化する方向に沿って導体基板１９２またはエレクトレット１９４を直線運動させるようにしてもよい。
【００３８】
なお、機械的な運動から電圧を発生させる場合、直線運動を回転運動に変換して発電を行うことが好ましい。例えば、発電素子または部材に加えられた撃力を利用する場合と比較して、発生する電圧の時間的な変化を緩やかにできるからである。
【００３９】
図４Ｂは、エレクトレットを利用した発電機の他の一例を示す概略図である。図４Ｂに示すように、発電機１９５では、円板形状の回転子１９７と固定子１９９とが対向して略平行に配置されている。例えば、回転子１９７が金属などの導体基板を備える円板とされ、固定子１９９がエレクトレットを備える円板とされる。回転子１９７がエレクトレットを備える円板とされ、固定子１９９が金属などの導体基板を備える円板とされてももちろんかまわない。
【００４０】
図４Ｃは、回転子における、固定子との対向面を示す平面図である。図４Ｄは、固定子における、回転子との対向面を示す平面図である。図４Ｂ〜図４Ｄに示すように、回転子１９７および固定子１９９は、ともにパターニングがなされている。例えば、図４Ｃに示すように、樹脂材料などからなる基材１９６ｒの一主面上に導体基板からなる導電部ｃ１、ｃ２、ｃ３およびｃ４が形成され、回転子１９７が構成される。また、例えば、図４Ｄに示すように、樹脂材料などからなる基材１９６ｓの一主面上にエレクトレットｅ１、ｅ２、ｅ３およびｅ４が形成され、固定子１９９が構成される。
【００４１】
したがって、固定子１９９に対して回転子１９７が回転することにより、導体基板とエレクトレットとが重なり合う部分の面積が変化し、導体基板に誘導される電荷量が変化することになり、電流が外部に取り出される。なお、摩擦などによるロスを低減するため、回転子１９７を支持する軸受として、空気軸受が適用されることが好ましい。
【００４２】
直線運動を回転運動に変更する機構としては、例えば、クランク機構、ギア機構などが挙げられるが、これらに限定されるものではない。発電機構が、ぜんまい、フライホイールなどを備えていてもよい。
【００４３】
なお、電子書籍が、ユーザによる画像の切り替えの指示のための動作とは直接的な関連性なしに発電を行う発電素子または発電機をさらに備えていてもよい。具体的には、例えば、電子書籍が、太陽電池や酵素電池、燃料電池、原子力電池、熱電変換素子などの発電素子または電磁波の整流を利用した発電素子などを備えていてもよい。電磁波を利用した発電素子としては、例えば、レクテナ（rectenna：rectifying antenna）などが挙げられる。
【００４４】
または、例えば、電子書籍が、ユーザによる電子書籍の持ち運びに伴う振動から電圧を発生させる発電機構をさらに備えていてもよい。ユーザによる画像の切り替えの指示のための動作とは直接的な関連性なしに発電を行う発電素子または発電機により得られた電力は、例えば、後述する蓄電部に一時的に蓄えられ、必要に応じて電子書籍の駆動のために消費される。
【００４５】
（蓄電部）
蓄電部９は、例えば、発電機構により得られた電力を一時的に蓄え、必要に応じて、電子書籍１の各部に電力を供給する。
【００４６】
蓄電部９は、例えば、二次電池、キャパシタなどの蓄電デバイスを含む。二次電池としては、例えば、リチウムイオン電池、ナトリウム硫黄電池、鉛電池、ニッケル水素電池、ニッケル亜鉛電池、ニッケル鉄電池、銀亜鉛電池、ニッケルカドミウム電池、レドックスフロー電池などが挙げられる。もちろん、二次電池は、これらに限定されず、これらの１種以上を組み合わせて用いてもよい。キャパシタとしては、例えば、電気二重層キャパシタ、ナノゲートキャパシタ（「ナノゲート」は、ナノゲートアクチエンゲゼルシャフトの登録商標）、リチウムイオンキャパシタ、ポリアセン系有機半導体（Polyacenic Semiconductor（ＰＡＳ））キャパシタなどが挙げられる。もちろん、キャパシタは、これらに限定されない。
【００４７】
蓄電部９が、二次電池やキャパシタなど、２種以上の蓄電デバイスの組からなる複合的な蓄電システムであることが好ましい。例えば、個々の蓄電デバイスの充放電特性の違いにあわせて、個々の蓄電デバイスを選択的に使用することができるからである。もちろん、蓄電システムが一次電池を含んでいてもよい。
【００４８】
（システム制御部）
システム制御部１６３は、例えば、電源管理部１７３、制御信号検出部１７５、中央処理装置１７７および表示制御部１７９などから構成され、電子書籍１の各部を制御する。
【００４９】
電源管理部１７３は、例えば、整流回路や平滑回路、昇圧回路、充放電制御回路などを含み、後述する中央処理装置１７７からの制御信号に応じて、電子書籍１の各部で必要とされる電力を送出する。
【００５０】
また、電源管理部１７３は、発電部５との電気的接続を有している。例えば、発電部５から送出された電流が交流電流である場合には、整流回路および平滑回路を介して、交流電流が直流電流に変換される。発電部５により得られた電力は、いったん電源管理部１７３に供給され、その後、電源管理部１７３から電子書籍１の各部へ送出される。また、例えば、電子書籍１が蓄電部９を備える場合、電源管理部１７３は、発電部５により得られた電力のうち、余剰電力を蓄電部９の蓄電デバイスの充電にあてる。発電部５により得られた電力が、例えば、ディスプレイ部３に表示される情報の書き換えに必要な電力に満たない場合は、電源管理部１７３は、蓄電部９に蓄えられている電力をディスプレイ部３の駆動のための電力にあてる。
【００５１】
電源管理部１７３は、電子書籍１に内蔵された記憶部１６７や、外部インターフェースＩＦに対する給電も行う。外部記憶装置１６８が外部インターフェースＩＦに接続される場合には、外部インターフェースＩＦを介して、外部記憶装置１６８に電力が供給される。
【００５２】
記憶部１６７は、具体的には、例えば、メモリやハードディスクなどの記憶媒体であり、ディスプレイ部３に表示されるコンテンツのデータを格納する。データの追加または更新は、例えば、有線または無線の方法により、外部インターフェースＩＦを介して行われる。例えば、外部インターフェースＩＦが通信手段を備える場合には、インターネットなどのネットワークＮＷから、コンテンツのデータを新たに取得することができる。また、例えば、外部記憶装置１６８が、コンテンツのデータを格納したフラッシュメモリなどの外部記憶装置である場合、例えば、筺体７に設けられたスロットに外部記憶装置１６８が挿入される。外部記憶装置１６８は、該スロット内に配置された外部インターフェースＩＦと接続され、外部記憶装置１６８に格納されたコンテンツのデータの取得が行われる。
【００５３】
制御信号検出部１７５は、例えば、発電部５やセンサ１６５からの入力信号をもとにして、電子書籍に対するユーザからの指示の内容の判別を行う。例えば、制御信号検出部１７５が、発電部５で発生する電圧の変化を検出することにより、発電部５で発生する電力を電気信号として利用するようにしてもよい。発電部５で発生する電力を電気信号として利用することにより、電力線を信号線とすることができ、信号線の省略が可能である。
【００５４】
また、センサ１６５は、例えば、筺体７の現在の移動方向または現在の傾きを検知して制御信号検出部１７５に通知する。または、例えば、センサ１６５は、ユーザが現在電子書籍の特定の部分に触れているか否かを検知して制御信号検出部１７５に通知する。制御信号検出部１７５は、センサ１６５からの入力信号により、例えば、電子書籍１がユーザに現在使用されている状態か否かを判別することが可能である。
【００５５】
表示制御部１７９は、記憶部１６７に格納されたコンテンツのデータの読み出しを行い、ディスプレイ部３の駆動信号を生成して、ディスプレイ部３にユーザの所望する情報を表示させる。
【００５６】
中央処理装置１７７は、プロセッサを含む処理装置であり、例えば、デジタルシグナルプロセッサ（Digital Signal Processor（ＤＳＰ））やＣＰＵ（Central Processing Unit）として構成される。中央処理装置１７７は、上述した電源管理部１７３、制御信号検出部１７５および表示制御部１７９の制御を行うとともに、蓄電部９の蓄電池などの電池残量の低下を監視する。
【００５７】
（筺体）
筺体７は、上述したディスプレイ部３や発電部５、蓄電部９、システム制御部１６３などを格納する。ユーザが電子書籍の操作を片手で容易に行えるようにする観点と、ディスプレイ部の表示面積を確保する観点とから、筺体７の形状としては、全体として略平板状であることが好ましいが、これに限定されるものではない。例えば、筺体７の一部にくびれなどが形成されていてもよい。筺体７を構成する材料は、例えば、樹脂材料や金属材料などから適宜選択することが可能である。
【００５８】
［電子書籍の動作の概略］
次に、図５を参照しながら、本開示の実施形態にかかる電子書籍の動作の概略について説明する。
【００５９】
図５は、本開示の実施形態にかかる電子書籍における処理の一例を示すフローチャートである。図５は、システム制御部１６３による処理の流れの一例を示している。
【００６０】
まず、ステップＳ１において、システム制御部１６３は、発電部５において起電力が発生したか否かを判断する。発電部５において起電力が発生した場合には、処理はステップＳ２へと進められる。一方、発電部５において起電力が発生していない場合には、ユーザがページめくりを所望していないということであるから、処理はステップＳ１０へと進められる。
【００６１】
次に、ステップＳ２において、必要に応じて、発電部５から得られた電力が蓄電される。このときの蓄電は、例えば、キャパシタに対する充電などの一時的な蓄電である。
【００６２】
次に、ステップＳ３において、システム制御部１６３は、発電部５における起電力の発生が、ユーザによる画像の切り替えの指示のための動作に伴うものであるか否かを判断する。発電部５における起電力の発生が、ユーザによる画像の切り替えの指示のための動作に伴うものでない場合、ユーザは電子書籍１の操作を意図していないということなので、処理はステップＳ４へと進められる。ステップＳ４においては、発電部５から得られた電力が蓄電部９に供給され、蓄電部９の蓄電デバイスの充電が行われる。発電部５における起電力の発生が、ユーザによる画像の切り替えの指示のための動作に伴うものであると判断された場合には、処理はステップＳ５へと進められる。
【００６３】
次に、ステップＳ５において、システム制御部１６３は、発電部５からの入力が電子書籍１の電源ＯＦＦのための入力であるか否かを判断する。発電部５からの入力が電子書籍１の電源ＯＦＦのための入力である場合には、処理はステップＳ６へと進められ、電子書籍１の電源が落とされる。一方、発電部５からの入力が電子書籍１の電源ＯＦＦのための入力でない場合には、処理はステップＳ７へと進められる。
【００６４】
次に、ステップＳ７において、システム制御部１６３は、発電部５からの入力が電子書籍１の電源ＯＮのための入力であるか否かを判断する。発電部５からの入力が電子書籍１の電源ＯＮのための入力である場合には、処理はステップＳ８へと進められ、電子書籍１が起動状態とされる。例えば、ステップＳ８において、システム制御部１６３は、メニュー画面などの初期画面をディスプレイ部３に表示させる。一方、発電部５からの入力が電子書籍１の電源ＯＮのための入力でない場合には、処理はステップＳ９へと進められる。
【００６５】
ステップＳ９において、システム制御部１６３は、ディスプレイ部３に表示される情報の書き換えを行う。すなわち、ページめくりが実行される。なお、電子書籍１が起動状態になかった場合に、例えば、ページめくりのための入力など、電源ＯＦＦのための入力でもなく、かつ電源ＯＮのための入力でもない入力があったときは、ユーザが電子書籍１の使用を所望していると考えられる。そのため、このような場合には、例えば、前回の使用時に表示されていた情報または初期画面が表示されるようにしておけばよい。
【００６６】
ステップＳ９においてページめくりが実行されると、処理はステップＳ１に戻される。なお、電子書籍１が起動状態のまま、ユーザが入力操作を行わずに、あらかじめ設定された時間Ｔ0が経過した場合、処理はステップＳ１０からステップＳ６へと進められ、電子書籍１の電源がＯＦＦとされる。
【００６７】
図６Ａ〜図６Ｄは、電子書籍のディスプレイ部に表示される画像の一例を示す図である。電子書籍１が起動状態とされると、図６Ａに示すように、例えば、電子書籍１のディスプレイ部３には初期画面が表示される。図６Ａに例示する初期画面では、電子書籍１には、「小説」や「辞書」、「漫画」などのコンテンツが保存されていることが示されている。また、ディスプレイ部３の下部には、現在選択状態にあるコンテンツの内容の一部がプレビューされている。
【００６８】
ユーザが、電子書籍１に保存されているコンテンツのうちから、例えば、「辞書」を選択するための入力操作を行ったとする。このとき、「辞書」を選択するための入力操作により、発電部５の発電機構が発電を行い、発電部５により得られた電力がディスプレイ部３に供給される。したがって、ディスプレイ部３に表示されている情報が書き換えられ、図６Ｂに示すように、ディスプレイ部３には、「辞書」の内容が表示される。
【００６９】
図６Ｂに示す例では、「Ａ」、「Ｂ」、「Ｃ」、・・・などのタブが表示されており、例えば、ユーザが「Ａ」のタブを選択するための入力操作を行うと、発電部５の発電機構による発電と、ディスプレイ部３に表示されている情報の書き換えとが行われる。そして、図６Ｃに示すように、ディスプレイ部３には、「辞書」の内容のうち、「Ａ」の群に収録された内容が表示される。
【００７０】
例えば、ユーザが、電子書籍１に保存されているコンテンツのうちから、例えば、「小説」を選択するための入力操作を行ったとすると、ディスプレイ部３には、図６Ｄに示すように、「小説」の内容が表示される。このとき、例えば、各章が見出しとして各タブに表示され、ユーザによるタブの選択のための入力操作に伴い、発電部５の発電機構による発電と、ディスプレイ部３に表示されている情報の書き換えとが行われる。すなわち、ユーザが現在どの章のタブを選択しているかの表示が切り替えられる。
【００７１】
「電子書籍の第１の構成例」
図７Ａは、電子書籍の第１の構成例を示す平面図である。図７Ｂは、電子書籍のVII−VII断面を示す模式図である。
【００７２】
電子書籍１１Ａは、例えば、図７Ａおよび図７Ｂに示すように、ディスプレイ部３が配置された上部ユニット１７ｕと、上部ユニット１７ｕと１ｍｍ〜１０ｍｍ程度の間隔をもって対向する下部ユニット１７ｂとを備えている。すなわち、上部ユニット１７ｕと下部ユニット１７ｂとの組から電子書籍１１Ａの筺体１７が構成される。
【００７３】
下部ユニット１７ｂの左端側と上部ユニット１７ｕの右端側とが、例えば、樹脂材料や金属材料からなる支持部材１６により連結されている。同様に、上部ユニット１７ｕの左端側と下部ユニット１７ｂの右端側とが、例えば、樹脂材料や金属材料からなる支持部材１８により連結されている。支持部材１６および支持部材１８は、例えば、平板形状とされ、支持部材１６および支持部材１８は、支持部材１６の主面と支持部材１８の主面とがなす交線を軸として回転自在に保持されている。支持部材１６および支持部材１８は、弾性を有するものとされ、具体的には、板ばねとして機能する。
【００７４】
また、図７Ｂに示すように、電子書籍１１Ａの左端側における、上部ユニット１７ｕと下部ユニット１７ｂの間には、発電素子１５ａが配置され、電子書籍の右端側における、上部ユニット１７ｕと下部ユニット１７ｂの間には、発電素子１５ｂが配置されている。発電素子１５ａおよび発電素子１５ｂは、例えば、圧電素子など、力が加わることにより電圧を発生させる発電素子である。なお、図７Ａおよび図７Ｂでは、蓄電部やシステム制御部などの図示を省略したが、特に断りがない限り、以下の説明においても同様とする。
【００７５】
図８Ａは、電子書籍の使用状態を示す概略図である。図８Ｂは、ユーザが電子書籍の右端側を押しこんだときの電子書籍の断面を示す模式図である。図８Ｃは、ページめくりが実行された後の電子書籍を示す概略図である。図８Ａに示すように、電子書籍１１Ａの使用時において、ユーザは、電子書籍１１Ａの左端側および右端側の少なくとも一方をつかむことにより、電子書籍１１Ａを保持する。いま、上部ユニット１７ｕおよび下部ユニット１７ｂは、たわまない程度の剛性を有しているものとする。すると、電子書籍１１Ａの上部ユニット１７ｕと下部ユニット１７ｂとが、弾性を有する支持部材１６および支持部材１８により連結されているので、ユーザは、電子書籍１１Ａの左端側または右端側を、上部ユニット１７ｕと下部ユニット１７ｂとが互いに近づくように押しこむことができる。
【００７６】
図８Ｂに示すように、ユーザが、例えば、電子書籍１１Ａの右端に圧力Ｐ１を加えて電子書籍１１Ａの右端側を押しこむと、ユーザの押しこみ動作により、発電素子１５ｂに力が加わる。発電素子１５ｂは、加えられた力に応じた電圧を発生させる。したがって、電子書籍は、ユーザによる押しこみ動作から発電を行い、電力を得る。
【００７７】
ユーザによる押しこみ動作により得られた電力は、例えば、電源管理部１７３に供給される。電源管理部１７３は、制御信号検出部１７５に対して、発電素子１５ｂから供給された電力の一部を供給する。制御信号検出部１７５は、電源管理部１７３からの信号を入力として、または、電源管理部１７３からの電力の供給を入力として、発電素子１５ｂから電力の供給があったことを中央処理装置１７７に通知する。中央処理装置１７７は、表示制御部１７９に対して制御信号を送出する。中央処理装置１７７からの制御信号を受け取った表示制御部１７９は、記憶部１６７からの情報の読み出しを行う。電源管理部１７３は、ディスプレイ部３に対して、ディスプレイ部３に現在表示されている画像を切り替えるための電力を供給する。表示制御部１７９は、ディスプレイ部３に現在表示されている画像を新たな画像に書き換える。したがって、ユーザによる押しこみ動作により、電子書籍１１Ａにおけるページめくりが実行されたことになる。
【００７８】
図９Ａおよび図９Ｂは、発電機がさらに配置された電子書籍の断面を示す模式図である。図９Ｃは、ページを逆方向に送るためのページめくりが実行された後の電子書籍を示す概略図である。図９Ａおよび図９Ｂに示すように、電子書籍１１Ｂの左端と右端との中央部分に、発電機１５ｃがさらに配置されていてもよい。発電機１５ｃは、例えば、回転子および固定子を有するものとされる。また、回転子の回転軸は、例えば、支持部材１６または支持部材１８の回転軸と一致するものとされ、回転子は、支持部材１６または支持部材１８の回転に従って回転する。したがって、ユーザによる押しこみ動作に伴って回転子が回転することとなり、発電機１５ｃから電力が得られる。
【００７９】
なお、発電素子による発電で得られた電力がディスプレイ部３に表示される情報の書き換えに必要な電力を超えていた場合、余剰な電力は、例えば、蓄電部に蓄えられる。一方、発電素子による発電で得られた電力がディスプレイ部３に表示される情報の書き換えに必要な電力に満たなかった場合に、蓄電部に蓄えられている電力を補うようにしてもよい。
【００８０】
ところで、ページめくりとしては、ページを順方向に送るためのページめくり（以下、順送りという。）と、ページを逆方向に送るためのページめくり（以下、逆送りという。）とが考えられる。順送りのための入力操作と逆送りのための入力操作とは、例えば、電子書籍の右端側の押し込みと左端側の押し込みとにそれぞれ対応させることができる。
【００８１】
図９Ｂに示すように、ユーザが、例えば、電子書籍１１Ｂの左端に圧力Ｐ２を加えて電子書籍１１Ｂの左端側を押しこむと、ユーザの押しこみ動作により、発電素子１５ａに力が加わる。発電素子１５ａは、加えられた力に応じた電圧を発生させる。一方、発電素子１５ｂに対しては、発電素子１５ａに加えられた力とは逆方向の力が加わることになる。すなわち、押し込み動作がなされたのが、電子書籍の右端側と左端側のどちらであるかは、例えば、発電素子１５ａ、発電素子１５ｂまたは発電機１５ｃで発生した電圧の極性から判定することが可能である。言い換えれば、ユーザの意図するページ送りが順送りまたは逆送りのいずれであるかは、発電素子１５ａ、発電素子１５ｂまたは発電機１５ｃで発生した電圧の極性から判定することが可能である。
【００８２】
図１０Ａおよび図１０Ｂは、上部ユニットがヒンジなどで結合された２つのパネルから構成された電子書籍の断面を示す模式図である。図１０Ｃは、ディスプレイ部に初期画面が表示された電子書籍を示す概略図である。図１０Ａおよび図１０Ｂに示すように、電子書籍の上部ユニットが、例えば、ヒンジなどで結合された複数個のパネルから構成されるようにしてもよい。図１０Ａおよび図１０Ｂに示す構成例は、左右に並べられ、ヒンジＨにより結合されたパネル１７Ｌおよびパネル１７Ｒから上部ユニットが構成された電子書籍の例である。この場合、電子書籍１１Ｃは左右に並んだ２つのディスプレイ部を備えるものとなり、上部ユニットは、ヒンジＨの部分を軸として折り曲げが可能である。
【００８３】
上部ユニットにかえて、下部ユニットが、例えば、ヒンジなどで結合された複数個のパネルから構成されるようにしてもよい。この場合、上部ユニットに備えられるディスプレイ部の表示面を、ヒンジなどによる断絶のないフラットな表示面とすることができる。
【００８４】
または、上部ユニットに可撓性を有するディスプレイ部を配置し、上部ユニットが全体として可撓性を有するユニットとして構成されていてもよい。この場合、下部ユニットは、可撓性を有していてもよいが、たわまない程度の剛性を有していることが好ましい。発電素子として圧電素子などを用いる場合には、圧電素子に対して、押す力が確実に伝達することが好ましいからである。
【００８５】
図７Ａおよび図７Ｂ、図８Ａ〜図８Ｃ、図９Ａ〜図９Ｃならびに図１０Ａおよび図１０Ｂに示す構成例では、ユーザの動作に複数種類の入力を対応させることも可能である。例えば、電子書籍の右端側の押し込みに対しては第1の入力を、電子書籍の左端側の押し込みに対しては第２の入力を、電子書籍の右端側および左端側の押し込みに対しては第３の入力を割り当てることも可能である。例えば、第1の入力、第２の入力および第３の入力を、順送りのための入力、逆送りのための入力、電子書籍の起動のための入力にそれぞれ割り当てるといったことも可能である。
【００８６】
例えば、図１０Ｂに示すように、ユーザが電子書籍１１Ｃの左端および右端に圧力Ｐ１、Ｐ２をそれぞれ加えて電子書籍１１Ｃの左端側および右端側を押しこむと、図１０Ｃに示すように、電子書籍１１Ｃのディスプレイ部に初期画面が表示される。
【００８７】
図７Ｂでは、２つの発電素子が、電子書籍の左端側および右端側に配置された構成例を示したが、上部ユニットと下部ユニットとの間に、さらに多くの発電素子を配置するようにしてもよい。例えば、電子書籍の左上隅、右上隅、左下隅および右下隅に４つの発電素子を配置した場合には、さらに多くの入力を割り当てることが可能である。例えば、電子書籍の右下隅の押し込みに対しては１ページ単位、電子書籍の右上隅の押し込みに対しては１０ページ単位など、ページめくりの枚数を個別に設定することも可能である。押しこみ動作が行われる部位の組み合わせ方に応じて、個々の入力を割り当てるようにしてもよい。
【００８８】
さらに、発電素子または発電機からの入力電圧に対して多段階のしきい値を設定しておくことにより、発電素子または発電機で発生した電圧の大きさに応じて、複数の入力を割り当てることも可能である。
【００８９】
なお、ユーザの意図しないページめくりが実行されることを防止するため、ユーザによる押しこみ動作が、いわゆるダブルクリックに相当する場合にのみページめくりが実行されるようにしてもよい。または、ユーザによる押しこみ動作が、あらかじめ設定された時間を超えて継続する場合にのみページめくりが実行されるようにしてもよい。そのほか、押しこみ動作が行われる部位とは別の部位に設けられた機能ボタンなどが押さえられており、かつユーザによる押しこみ動作があった場合にのみページめくりが実行されるようにしてもよい。
【００９０】
また、例えば図７Ｂでは、支持部材１６および支持部材１８が、１つの回転軸を中心にして回転自在に保持された構成例を示したが、２以上の支持部材を互いに干渉しない形状としたうえで、２以上の支持部材を交差させて配置してもよい。支持部材は、例えば、弾性を有するものとされるが、支持部材にかえ、または、支持部材とともに、上部ユニットと下部ユニットの間にそれぞれコイルばねを配置するようにしてもよい。
【００９１】
例えば図７Ｂでは、電子書籍１１Ａが、発電素子１５ａおよび発電素子１５ｂを備える構成例を示したが、発電素子１５ａおよび発電素子１５ｂのうちの一方が省略されてももちろんかまわない。なお、発電の方式は、静電型や電磁型、逆磁歪型、圧電型など、いずれであってもよい。
【００９２】
上述のように、電子書籍は、ユーザによる押しこみ動作から発電を行い、電力を得る。言い換えれば、本開示では、ユーザによるページめくりのための入力操作により、ディスプレイ部に表示される情報の書き換えに必要な電力を得るための発電が行われる。本開示によれば、電子書籍が、内蔵した発電素子または発電機から電力を得てディスプレイ部に表示される情報の書き換えを行うため、電子書籍を使用する前の充電を必要とせずに、電子書籍におけるページめくりを実現することができる。
【００９３】
「電子書籍の第２の構成例」
図１１Ａは、電子書籍の第２の構成例を示す平面図である。図１１Ｂは、電子書籍のXI−XI断面を示す模式図である。図１１Ｃは、ユーザが下部ユニットを１８０°回転させたときの電子書籍を示す平面図である。図１１Ｄは、ページめくりが実行された後の電子書籍を示す平面図である。
【００９４】
電子書籍２１Ａは、例えば、図１１Ａおよび図１１Ｂに示すように、ディスプレイ部３が配置された上部ユニット２７ｕと、上部ユニット２７ｕと重なり合うようにして配置された下部ユニット２７ｂとを備えている。すなわち、上部ユニット２７ｕと下部ユニット２７ｂとの組から電子書籍２１Ａの筺体２７が構成される。下部ユニット２７ｂは、例えば、上部ユニット２７ｕに対して回転自在とされ、該回転軸は、例えば、上部ユニット２７ｕの中心に位置し、上部ユニット２７ｕの主面に垂直な軸と一致される。上部ユニット２７ｕと下部ユニット２７ｂとの間には、例えば、発電機２５が配置される。発電機２５は、例えば、固定子２５ｓおよび回転子２５ｒの組からなる。例えば、電子書籍２１Ａの上部ユニット２７ｕには固定子２５ｓが配置され、上部ユニット２７ｕに対する下部ユニット２７ｂの回転軸と回転軸を共通にして、回転子２５ｒが電子書籍２１Ａの下部ユニット２７ｂに配置される。
【００９５】
電子書籍２１Ａの下部ユニット２７ｂが、上部ユニット２７ｕに対して回転自在とされているので、ユーザは、電子書籍２１Ａの下部ユニット２７ｂを、例えば、上部ユニット２７ｕに対して１８０°回転させることができる。
【００９６】
図１１Ｃに示すように、ユーザが、例えば、電子書籍２１Ａの下部ユニット２７ｂを上部ユニット２７ｕに対して１８０°回転させると、上部ユニット２７ｕと下部ユニット２７ｂの間に発電機２５が配置されているため、ユーザによる下部ユニット２７ｂの回転動作により、発電機２５が、発電を行う。したがって、電子書籍２１Ａは、ユーザによる下部ユニット２７ｂの回転動作から発電を行い、ディスプレイ部３に表示される情報の書き換えに必要な電力を得る。
【００９７】
図１１Ａおよび図１１Ｂに示す構成例では、上部ユニット２７ｕに対して、下部ユニット２７ｂが電子書籍２１Ａのディスプレイ部３の主面と平行な面内で回転する。そのため、ディスプレイ部３の主面と垂直な面内で回転する場合と比較して、下部ユニット２７ｂの回転動作に必要なスペースを小さくすることができる。
【００９８】
順送りのための入力操作と逆送りのための入力操作とは、例えば、電子書籍の上部ユニットに対する下部ユニットの時計回りの回転と反時計回りの回転とにそれぞれ対応させることができる。すなわち、ユーザの意図するページ送りが順送りまたは逆送りのいずれであるかは、例えば、発電機で発生した電圧の極性から判定することが可能である。または、例えば、電子書籍に、２つの発電機とワンウェイクラッチ（スプラグクラッチ（Sprag clutch）ともいう。）とを含む発電ユニットを配置し、下部ユニットの回転方向に応じて、どちらか一方の発電機のみが発電を行うように構成してもよい。
【００９９】
なお、上部ユニットに対して回転自在とされる部材の形状は、上部ユニットと同一の形状に限定されない。例えば、上部ユニットに対して回転自在とされる部材（以下、回転部材と適宜称する。）の形状を、円板形状としてもよい。
【０１００】
図１２Ａは、背面側に回転部材が配置された電子書籍の構成例を示す概略図である。図１２Ｂは、筺体内に配置されるとともに一部が筺体の外部に露出する回転部材を備えた電子書籍の構成例を示す概略図である。例えば、図１２Ａに例示する電子書籍２１Ｂでは、電子書籍２１Ｂの筺体２７Ｄの背面側に回転部材２８ｄが配置されている。図１２Ａに示す構成例によれば、ユーザは、電子書籍２１Ｂを片手で保持しながら、指先のみでページめくりのための入力操作を行うことができる。
【０１０１】
または、例えば、図１２Ｂに示すように、回転部材２９ｄを電子書籍２１Ｃの筺体２７Ｅの内部に配置し、筺体２７Ｅに設けられた切り欠き部から回転部材２９ｄの一部が覗くようにしてもよい。この場合、ユーザは、回転部材２９ｄの一部に対して、回転部材２９ｄを回転させるための力を与えることができる。
【０１０２】
「電子書籍の第３の構成例」
図１３Ａは、電子書籍の第３の構成例を示す概略図である。図１３Ｂは、筺体の一部にトラックボールが配置された電子書籍の構成例を示す概略図である。
【０１０３】
電子書籍３１Ａには、例えば、図１３Ａに示すように、筺体３７Ａの一部に、回転自在とされた円筒状のダイヤル（以下、ジョグダイヤルと称する。）３９Ｊが配置されている。また、電子書籍３１Ａの内部には、ジョグダイヤル３９Ｊの回転に伴って発電を行う発電機３５Ｊが配置されている。ジョグダイヤル３９Ｊは、ユーザが電子書籍３１Ａを保持する場合において、ユーザの親指が添えられる部分の近く、または、ユーザの人差し指が添えられる部分の近くに配置されていることが好ましい。ユーザが電子書籍３１Ａを片手で保持した場合であっても、ユーザが容易にページめくりのための入力操作を行えるからである。
【０１０４】
ユーザが、例えば、ジョグダイヤルを回転させると、電子書籍の内部には、ジョグダイヤルの回転に伴って発電を行う発電機が配置されているため、ユーザによるジョグダイヤルの回転動作により、発電機が、発電を行う。したがって、電子書籍は、ユーザによるジョグダイヤルの回転動作から発電を行い、ディスプレイ部に表示される情報の書き換えに必要な電力を得る。
【０１０５】
ここで、ジョグダイヤルを回転させる方向としては２通りの方向が考えられる。したがって、順送りのための入力操作と逆送りのための入力操作とを、ジョグダイヤルの２つの回転方向にそれぞれ対応させることができる。
【０１０６】
図１３Ｂに示すように、ジョグダイヤルにかえて、筺体の一部にトラックボールが配置されていてもよい。図１３Ｂに示す構成例では、電子書籍３１Ｂの筺体３７Ｂの一部にトラックボール３９Ｔが配置されている。電子書籍３１Ｂの内部には、トラックボール３９Ｔの回転に伴って発電を行う発電機３５Ｔが配置される。
【０１０７】
「電子書籍の第４の構成例」
図１４Ａは、電子書籍の第４の構成例を示す平面図である。図１４Ｂは、電子書籍のXIV−XIV断面を示す模式図である。図１４Ｃは、図１４Ａに示す電子書籍の背面図である。
【０１０８】
図１４Ａ〜図１４Ｃに示すように、電子書籍４１は、例えば、筺体４７の内部に、平行に配置された少なくとも２つのローラを備えている。筺体４７は、例えば、ディスプレイ部３が配置された上部ユニット４７ｕと、上部ユニット４７ｕと対向して配置された下部ユニット４７ｂとから構成される。図１４Ａ〜図１４Ｃに示す構成例では、上部ユニット４７ｕと下部ユニット４７ｂとの間に、回転軸が電子書籍４１の左右方向に対して平行とされたローラ４２ａおよびローラ４２ｂが配置されている。また、電子書籍４１の内部には、ローラ４２ａまたはローラ４２ｂの回転に伴って発電を行う発電機４５が配置されている。
【０１０９】
また、ローラ４２ａおよびローラ４２ｂの外側には、ローラ４２ａおよびローラ４２ｂの回転に連動して移動するベルト４４が巻きつけられている。ベルト４４の一部は、例えば、電子書籍４１の筺体４７の背面側（下部ユニット４７ｂ側）に設けられた開口部Ａｐから露出している。したがって、ユーザは、電子書籍４１の筺体４７の背面側から、ベルト４４の一部に直接触れることができる。
【０１１０】
ユーザが、例えば、ベルト４４を送ることにより、ローラ４２ａおよびローラ４２ｂを回転させると、電子書籍４１の内部には、ローラ４２ａまたはローラ４２ｂの回転に伴って発電を行う発電機４５が配置されているため、発電機４５が、発電を行う。したがって、電子書籍は、ユーザによるベルトの送り動作から発電を行い、ディスプレイ部に表示される情報の書き換えに必要な電力を得る。
【０１１１】
ベルトを送る方向（筺体の内部に配置されたローラを回転させる方向）としては２通りの方向が考えられる。したがって、順送りのための入力操作と逆送りのための入力操作とを、ローラの回転方向にそれぞれ対応させることができる。ジョグダイヤルを回転させる場合と比較して、ローラとベルトの組み合わせを利用することにより、ユーザによる入力操作から、より大きな電圧を得ることが可能である。
【０１１２】
「電子書籍の第５の構成例」
図１５Ａは、電子書籍の第５の構成例を示す概略図である。図１５Ｂは、筺体の円筒形状の中心軸に垂直な断面を示す模式図である。図１５Ｃは、電子書籍の背面側に表示される画像の例を説明するための概略図である。
【０１１３】
図１５Ａおよび図１５Ｂに示すように、電子書籍５１は、例えば、略円筒形状とされた筺体５７と、筺体５７の外周面に巻きつけられるようにして配置された、可撓性を有するディスプレイ部５３とを備えている。また、電子書籍５１の内部には、ディスプレイ部５３の回転に伴って発電を行う発電機または発電素子が配置されている。ディスプレイ部５３は、例えば、筺体５７に対して、画面の上下方向または左右方向に回転自在とされている。なお、筺体５７の円筒形状の中心軸は、画面の上下方向と平行とされていてもよいし、画面の左右方向と平行とされていてもよい。
【０１１４】
電子書籍５１は、図１５Ｂに示すように、例えば、ディスプレイ部５３と筺体５７との間に、発電機５５を備えている。電子書籍５１に備えられた発電機５５は、ディスプレイ部５３および筺体５７の相対運動を利用して発電を行う。
【０１１５】
例えば、ディスプレイ部５３の裏面（筺体５７と対向する側の面）にエレクトレットを、筺体５７の外周面に導体基板をそれぞれ配置しておけば、筺体５７に対してディスプレイ部５３を筺体５７の外周面に沿って回転させることにより、静電誘導による発電が可能である。エレクトレットと導体基板とを、磁石とコイルとに置き換えれば、電磁誘導による発電が可能となる。
【０１１６】
発電機にかえ、または発電機とともに、ディスプレイ部５３と筺体５７との間に発電素子を配置してもよい。例えば、ディスプレイ部５３と筺体５７との間に圧電素子を配置しておけば、ユーザがディスプレイ部５３を回転させようとするときに、圧電素子に力が加わるようにすることもでき、したがって、圧電効果による発電が可能となる。さらに、例えば、ディスプレイ部５３と筺体５７との間に熱電変換素子を配置しておけば、ディスプレイ部５３の回転に伴って発生した摩擦熱を利用した熱電発電が可能となる。
【０１１７】
ユーザが、例えば、筺体に対してディスプレイ部を回転させると、電子書籍の内部には、ディスプレイ部の回転に伴って発電を行う発電素子または発電機が配置されているため、ユーザによるディスプレイ部の回転動作により、発電素子または発電機が、発電を行う。したがって、電子書籍は、ユーザによるディスプレイ部の回転動作から発電を行い、ディスプレイ部に表示される情報の書き換えに必要な電力を得る。
【０１１８】
なお、上述した構成によれば、巻物のように、一方向に連なった一連の情報を途切れなく表示することも可能である。また、上述した構成によれば、例えば、ディスプレイ部５３に表示される画像のうち、ユーザに対向する側、すなわち電子書籍５１の表面側にはユーザの所望するコンテンツを表示させ、電子書籍５１の裏面側には他の情報を表示させることもできる。例えば、図１５Ｃに示すように、ユーザが電子書籍５１を使用している状態で、電子書籍５１の裏面側に、広告を表示させることもできる。または、電子書籍５１の裏面側に、ユーザの指定した絵柄などを表示させたりすることも可能である。
【０１１９】
「電子書籍の第６の構成例」
図１６Ａは、電子書籍の第６の構成例を示す平面図である。図１６Ｂは、電子書籍のXVI−XVI断面を示す模式図である。図１６Ｃは、順送りが実行された後の電子書籍を示す平面図である。図１６Ｄは、逆送りが実行された後の電子書籍を示す平面図である。
【０１２０】
電子書籍６１は、例えば、図１６Ａおよび図１６Ｂに示すように、ディスプレイ部３が配置された上部ユニット６７ｕと、下部ユニット６７ｂとを備え、下部ユニット６７ｂが、上部ユニット６７ｕと重なり合うようにして配置されている。すなわち、図１６Ａおよび図１６Ｂに示す構成例では、ディスプレイ部３が配置された上部ユニット６７ｕと、上部ユニット６７ｕと対向して配置された下部ユニット６７ｂとから、筺体６７が構成されている。
【０１２１】
図１６Ｂに示すように、上部ユニット６７ｕと下部ユニット６７ｂとは、例えば、ガイドレール６９ａおよびガイドレール６９ｂの組からなるスライド機構を介して接続される。したがって、下部ユニット６７ｂは、例えば、上部ユニット６７ｕに対して、左方向または右方向に平行にずらすことができるようにされている。また、電子書籍６１の内部には、上部ユニット６７ｕに対する下部ユニット６７ｂのスライドに伴って発電を行う発電機６５が配置されている。
【０１２２】
発電の方式としては、静電型や電磁型、逆磁歪型、圧電型など、いずれであってもよいが、下部ユニットは、上部ユニットに対して直線運動を行うので、発電機６５としては、例えば、エレクトレットを利用した発電機が好適である。発電機を軽量に構成することができるからである。図１６Ｂに示す構成例では、上部ユニット６７ｕに固定された導電基板６２と、導電基板６２に対向するようにして下部ユニット６７ｂに固定されたエレクトレット６４とから発電機６５が構成されている。
【０１２３】
図１６Ｃに示すように、ユーザが、例えば、電子書籍６１の上部ユニット６７ｕに対して下部ユニット６７ｂを右側にスライドさせると、上部ユニット６７ｕと下部ユニット６７ｂの間に発電機６５が配置されているため、ユーザによる下部ユニット６７ｂのスライド動作により、発電機６５が、発電を行う。したがって、電子書籍は、ユーザによる下部ユニットのスライド動作から発電を行い、ディスプレイ部に表示される情報の書き換えに必要な電力を得る。なお、スライドさせられた下部ユニットは、もとの位置に戻される必要があるが、発電部は、下部ユニットのもとの位置への移動からも発電を行うことができる。
【０１２４】
順送りのための入力操作と逆送りのための入力操作とは、例えば、電子書籍の上部ユニットに対する下部ユニットの右方向への移動と左方向への移動とにそれぞれ対応させることができる。すなわち、ユーザの意図するページ送りが順送りまたは逆送りのいずれであるかは、例えば、発電機で発生した電圧の極性から判定することが可能である。例えば、図１６Ｄに示すように、ユーザが、電子書籍６１の上部ユニット６７ｕに対して下部ユニット６７ｂを左側にスライドさせると、逆送りが実行される。
【０１２５】
「電子書籍の第７の構成例」
図１７Ａは、電子書籍の使用状態を示す概略図である。図１７Ｂは、ロールおよびシートの組と発電機とを２つ備える電子書籍の構成例を示す平面図である。
【０１２６】
電子書籍７１Ａは、例えば、図１７Ａに示すように、筺体７７の内部に、ロール７６Ｒと、ロール７６Ｒに巻きつけられたシート７６Ｓとを備えている。シート７６Ｓは、例えば、その一端がロール７６Ｒに固定され、シート７６Ｓの他端は、筺体７７に設けられた開口部を介して、筺体７７の外部に引き出せるようにされている。なお、シートにかえてリボンやロープなどを使用してもよい。
【０１２７】
ロール７６Ｒは、例えば、電子書籍７１Ａの上下方向に対して平行とされた回転軸を中心として回転自在とされ、シート７６Ｓの巻き取りおよび引き出しに伴って回転する。また、電子書籍７１Ａの内部には、ロール７６Ｒの回転に伴って発電を行う発電機７５が配置されている。
【０１２８】
図１７Ａに示すように、ユーザは、例えば、図１７Ａに示す矢印Ｓの方向に沿って、シート７６Ｓの一端を筺体７７の外部に引き出すことができる。ユーザが、例えば、シート７６Ｓの一端を筺体７７の外部に引き出すと、電子書籍７１Ａの内部には、ロール７６Ｒの回転に伴って発電を行う発電機７５が配置されているため、発電機７６が、発電を行う。したがって、電子書籍は、ユーザによるシートの引き出し動作から発電を行い、ディスプレイ部に表示される情報の書き換えに必要な電力を得る。なお、筺体の外部に引き出されたシートは、ロールの内部に配置されたコイルばねなどの復元力により、シートを引き出すための力がなくなると自動的にロールに巻き取られるようにされている。したがって、電子書籍の内部に配置された発電機は、シートの巻き取りの際も発電を行うことができる。
【０１２９】
ユーザによるシートの引き出し動作と、順送りおよび逆送りのための入力操作とを対応付けるには、例えば、図１７Ｂに示すように、電子書籍に、ロールおよびシートの組と、発電機とを少なくとも２つ設けることが簡便である。図１７Ｂに示す電子書籍７１Ｂは、ロール、シートおよび発電機の組を２つ備える電子書籍の例である。すなわち、電子書籍７１Ｂは、筺体７７Ｄの内部に、ロール７６Ｒａ，７６Ｒｂと、ロール７６Ｒａ，７６Ｒｂにそれぞれ巻きつけられたシート７６Ｓａ，７６Ｓｂと、ロール７６Ｒａ，７６Ｒｂの回転に伴ってそれぞれ発電を行う発電機７５ａ，７５ｂとを備えている。ユーザの意図するページ送りが順送りまたは逆送りのいずれであるかは、例えば、２つの発電機のうち、いずれの発電機で発電が行われたかにより判定することが可能である。
【０１３０】
「電子書籍の第８の構成例」
図１８Ａは、電子書籍の第８の構成例を示す概略図である。図１８Ｂは、ページめくりが実行された後の電子書籍を示す概略図である。
【０１３１】
電子書籍８１は、例えば、可撓性を有する筺体８７および可撓性を有するディスプレイ部８３を備え、電子書籍８１は、図１８Ａおよび図１８Ｂに示すように、全体として折り曲げができるように構成されている。また、電子書籍８１の内部には、電子書籍８１がたわむことにより発電を行う発電層８５が配置されている。
【０１３２】
発電層８５としては、例えば、圧電材料からなる層や、人工筋肉（Electroactive Polymer Artificial Muscle（ＥＰＡＭ））またはポリマアクチュエータなどの、静電分極を起こす材料からなる層、磁歪材料と薄膜コイル（金属薄膜などにより形成されたコイル）との組からなる発電層などが挙げられる。人工筋肉は、例えば、シート状のエラストマの両面に、伸び縮み可能な電極が形成された素子である。
【０１３３】
図１８Ｂに示すように、ユーザが、例えば、電子書籍８１の左端側および右端側をつかみながら電子書籍８１を曲げると、電子書籍８１が発電層８５を備えるため、ユーザによる電子書籍８１の曲げ動作により、発電層８５が、発電を行う。したがって、電子書籍は、ユーザによる電子書籍の曲げ動作から発電を行い、ディスプレイ部に表示される情報の書き換えに必要な電力を得る。
【０１３４】
順送りのための入力操作と逆送りのための入力操作とは、例えば、電子書籍の左右方向に対する曲げと上下方向に対する曲げとにそれぞれ対応させることができる。または、例えば、電子書籍の表面側（ディスプレイ部がユーザと対向する側）を圧縮方向とする曲げと電子書籍の表面側を引っ張り方向とする曲げとにそれぞれ対応させることができる。
【０１３５】
そのほか、順送りにおける情報の書き換えに必要な電力を得るための発電層と、逆送りにおける情報の書き換えに必要な電力を得るための発電層とを分離して形成するようにしてもよい。発電層において発生した電圧の分布を信号処理することにより、ユーザの意図するページ送りが順送りまたは逆送りのいずれであるかを判定するようにしてもよい。
【０１３６】
「電子書籍の第９の構成例」
図１９Ａは、電子書籍の第９の構成例を示す平面図である。図１９Ｂは、順送りが実行された後の電子書籍を示す平面図である。図１９Ｃは、電子書籍に逆送りを指示するためのユーザの入力動作を説明するための図である。図１９Ｄは、逆送りが実行された後の電子書籍を示す平面図である。
【０１３７】
電子書籍９１は、例えば、発電部９５としての熱電変換素子を備えている。熱電変換素子の高温側接点９５Ｈｔまたは低温側接点９５Ｌｔは、例えば、筺体９７の外部の少なくとも一部に直接露出または熱伝導体を介して露出している。熱伝導体としては、例えば、ヒートパイプや熱伝導シート、銅やアルミニウムなどからなるブロックなどが挙げられるが、これらに限定されるものではない。
【０１３８】
電子書籍９１の使用時に、ユーザが、例えば、電子書籍９１の裏面側を支えるようにして、左手で電子書籍９１の左端側を持っているとすると、電子書籍９１のうち、ユーザの触れる部分（電子書籍９１の左端側）とそうでない部分との間に、温度差が生じる。例えば、ユーザの触れる部分がユーザの体温により温められ、電子書籍９１の裏面が、電子書籍９１の表面より高温となることが想定される。
【０１３９】
このとき、例えば、熱電変換素子の高温側接点９５Ｈｔが、電子書籍９１の裏面に露出し、熱電変換素子の低温側接点９５Ｌｔが、電子書籍９１の表面に露出していたとする。すると、熱電変換素子は、電子書籍９１の裏面と表面との間に生じる温度差により発電し、ユーザが電子書籍９１を使用する間は、熱電変換素子による発電が継続する。熱電変換素子から得られる電力は、例えば、蓄電部９９に蓄えられる。
【０１４０】
図１９Ｂに示すように、例えば、ユーザがさらに右手で電子書籍９１の裏面に触れると、ユーザからの熱電変換素子への熱流束は増加する。すなわち、熱電変換素子による発電量が増加することとなる。例えば、熱電変換素子が発生させる電圧の増加を検知することにより、電子書籍９１は、ユーザがページめくりを所望していると判定することができる。この場合、電子書籍９１は、熱電変換素子により発生した電圧の増加を検知すると、電子書籍９１は、例えば、蓄電部９９に蓄えられた電力を利用して、ディスプレイ部３に表示される情報の書き換えを実行する。
【０１４１】
また、図１９Ｃに示すように、例えば、ユーザが右手で電子書籍９１の表面に触れると、電子書籍９１の裏面と表面との間の温度差が小さくなる。すなわち、熱電変換素子による発電量が減少することとなる。この場合も、熱電変換素子が発生させる電圧の減少を検知することにより、電子書籍９１は、ユーザがページめくりを所望していると判定することができる。
【０１４２】
また、順送りのための入力操作と逆送りのための入力操作とは、例えば、熱電変換素子による発電量の増加と減少とにそれぞれ対応させることができる。言い換えれば、ユーザが電子書籍のどこを触れるかによって、ユーザは、電子書籍の入力操作を行うことができる。複数個の熱電変換素子を電子書籍に配置すれば、より多くの入力操作を設定することも可能である。
【０１４３】
「電子書籍の第１０の構成例」
図２０Ａは、電子書籍の第１０の構成例を示す平面図である。図２０Ｂは、電子書籍に順送りを指示するためのユーザの入力動作を説明するための図である。
【０１４４】
電子書籍１０１Ａには、例えば、図２０Ａに示すように、筺体７の内部に、十分に巻き数の大きいコイル１０５ｃが１以上配置されている。
【０１４５】
第１０の構成例では、ユーザは、例えば、指輪状や指サック状の操作補助具１０５ｒを指に装着する。操作補助具１０５ｒには、例えば、希土類磁石などの残留磁束密度の比較的大きな磁石が内蔵されている。
【０１４６】
図２０Ｂに示すように、操作補助具１０５ｒを装着したユーザが、例えば、操作補助具１０５ｒが電子書籍１０１Ａに内蔵されたコイル１０５ｃに近接するようにしながら、指を動かしたとする。すると、操作補助具１０５ｒとコイル１０５ｃとにより発電機１０５が構成され、電磁誘導現象により、コイル１０５ｃが起電力を発生させる。
【０１４７】
すなわち、電子書籍に内蔵された１以上のコイルは、電子書籍の外部の操作補助具との間で相対運動を行うことにより、発電機として機能する。したがって、電子書籍は、ユーザによる、いわゆるフリック動作から発電を行い、ディスプレイ部に表示される情報の書き換えに必要な電力を得る。
【０１４８】
順送りのための入力操作と逆送りのための入力操作とは、例えば、筺体の内部に配置されたコイルに対する、操作補助具の右方向への移動と左方向への移動とにそれぞれ対応させることができる。すなわち、ユーザの意図するページ送りが順送りまたは逆送りのいずれであるかは、例えば、筺体の内部に配置されたコイルで発生した電圧の極性から判定することが可能である。
【０１４９】
または、ユーザによるフリック動作と、順送りおよび逆送りのための入力操作とを対応付けるには、電子書籍に、コイルを少なくとも２つ設けることが簡便である
【０１５０】
図２１Ａは、コイルを少なくとも２つ備える電子書籍の構成例を示す平面図である。図２１Ｂは、電子書籍に逆送りを指示するためのユーザの入力動作を説明するための図である。
【０１５１】
図２１Ａおよび図２１Ｂに示す電子書籍１０１Ｂには、例えば、筺体７の内部に、十分に巻き数の大きいコイル１０５ｃａおよびコイル１０５ｃｂが配置されている。したがって、ユーザの意図するページ送りが順送りまたは逆送りのいずれであるかは、例えば、図２１Ａおよび図２１Ｂに示すコイル１０５ｃａおよびコイル１０５ｃｂのうち、いずれのコイルで発電が行われたかにより判定することが可能である。そのほか、それぞれのコイルにおいて発生した電圧の分布を信号処理することにより、ユーザの意図するページ送りが順送りまたは逆送りのいずれであるかを判定するようにしてもよい。
【０１５２】
＜２．第２の実施形態＞
［電子書籍の概略的構成］
図２２Ａは、第２の実施形態にかかる電子書籍の一構成例を示す平面図である。図２２Ｂは、図２２Ａに示す電子書籍の底面図である。
【０１５３】
図２２Ａおよび図２２Ｂに示すように、第２の実施形態にかかる電子書籍２は、ディスプレイ部３と、発電部６と、ディスプレイ部３および発電部６を格納する筺体８とを備えている点で、第１の実施形態と共通する。電子書籍２には、必要に応じて、ユーザの入力操作を支援する機能ボタンＦ３などや、ユーザとの接触を検知するタッチセンサＳＥ１などが配置される。
【０１５４】
ここで、第２の実施形態にかかる電子書籍２は、蓄電部９を備えるとともに、発電部６が、少なくとも、電子書籍に加えられた振動により発電を行う発電機構を含む。第２の実施形態では、ユーザによる電子書籍の持ち運びに伴う振動によっても発電を行い、このときに得られる電力を蓄電部に蓄える。
【０１５５】
（発電部）
図２２Ａに示す発電部６は、少なくとも、振動により発電する発電機構を含んでいる。振動により発電する発電機構としては、例えば、コイルおよび該コイルの内部を移動自在とされた磁石または磁性流体の組からなる発電機、導電基板および電子書籍の面内方向に移動自在とされたエレクトレットの組からなる発電機、圧電素子および電子書籍の内部で移動自在とされた金属球などの組からなる発電機などが挙げられる。または、例えば、一端におもりが取りつけられた圧電バイモルフからなるカンチレバーにより電力を得るようにしてもよい。上述した構成によれば、発電機構は、低い振動数の振動や不規則な振動によっても発電が可能である。
【０１５６】
［電子書籍の動作の概略］
電子書籍２が、少なくとも、電子書籍２に加えられた振動から電力を得る発電部６を備えるため、ユーザが電子書籍２を持ち運ぶことにより電子書籍２に振動が伝わると、発電部６は、加えられた振動に応じて電圧を発生させる。ユーザによる電子書籍２の持ち運びに伴う振動により得られた電力は、蓄電部９に蓄えられる。
【０１５７】
電子書籍２に対して、電子書籍２を起動するための入力操作や、ページめくりのための入力操作がなされると、システム制御部１６３の制御のもとに、蓄電部９に蓄えられていた電力が電子書籍２の各部に送出される。なお、電子書籍２に対してページめくりのための入力操作がなされた場合において、ページめくりのための入力操作により得られる電力が、ディスプレイ部３に表示される情報の書き換えに必要な電力を超える場合には、蓄電部９に蓄えられた電力は消費されない。
【０１５８】
第２の実施形態によれば、ユーザによる電子書籍の持ち運びにより、蓄電部への充電が行われるため、ディスプレイ部における表示方式として、表示された画像の保持のための電力消費がトナーディスプレイ方式などと比較して大きい表示方式を適用することもできる。また、図２２Ｂに示すように、電子書籍２に電力取り出し用のジャックＪ１を設けておけば、電子書籍２を携帯用電源として使用することもできる。
【０１５９】
「電子書籍の第１１の構成例」
図２３Ａは、電子書籍の第１１の構成例を示す平面図である。図２３Ｂは、順送りが実行された後の電子書籍を示す概略図である。
【０１６０】
電子書籍１１１Ａは、例えば、図２３Ａに示すように、筺体８の内部に、コイル１１６ｃおよび該コイル１１６ｃの内部を移動自在とされた磁石１１６ｍの組からなる発電機１１６を備えている。
【０１６１】
ユーザが、例えば、かばんなどに電子書籍１１１Ａを入れて持ち運ぶと、電子書籍１１１Ａには、ユーザの歩行などに伴って振動が加わる。そのため、発電機１１６が、ユーザの歩行などに伴う振動により発電を行う。なお、電子書籍１１１Ａの不使用時において発電機１１６が発電した電力は、蓄電部９にいったん蓄えられる。
【０１６２】
電子書籍の使用時において、ユーザが、例えば、電子書籍を上下に振ると、電子書籍の内部には、加えられた振動に応じて発電を行う発電機が配置されているため、ユーザによる電子書籍の加振動作により、発電機が、発電を行う。したがって、電子書籍は、ユーザによる電子書籍の加振動作から発電を行うとともに、ディスプレイ部に表示する情報を書き換える。ユーザによる電子書籍の加振動作から得られた電力が、ディスプレイ部に表示される情報の書き換えに必要な電力に満たなかった場合には、蓄電部に蓄えられていた電力が、ディスプレイ部に表示される情報の書き換えに使用される。
【０１６３】
上述の構成例では、ユーザによる電子書籍１１１Ａの持ち運びにより発電が行われるため、電子書籍１１１Ａの持ち運び時に、電子書籍１１１Ａが誤動作することも考えられる。そこで、電子書籍が、誤動作防止機能を備えていることが好ましい。例えば、電子書籍が、現在ユーザにより使用されている状態（第１の状態）であるか、現在ユーザにより使用されていない状態（第２の状態）であるかを判定したうえでページめくりなどを実行することが好ましい。
【０１６４】
例えば、図２３Ａおよび図２３Ｂに示すように、電子書籍１１１Ａの筺体８に機能ボタンＦ３などを設けておき、ユーザが機能ボタンＦ３を押しながら電子書籍１１１Ａを振る場合にのみ、ディスプレイ部３に表示される情報が書き換えられるようにしてもよい。または、例えば、電子書籍１１１Ａが、ユーザとの接触を検知するタッチセンサＳＥ１などを備え、タッチセンサＳＥ１からの入力および振動による発電があった場合に、ディスプレイ部３に表示される情報が書き換えられるようにしてもよい。
【０１６５】
なお、電子書籍が、ユーザによる電子書籍の加振動作に対して、電子書籍の移動方向を検知できることが好ましい。例えば、電子書籍が加速度センサやジャイロセンサなどのセンサ１６５を備えるようにし、電子書籍が移動方向または傾きを検知するようにしてもよい。
【０１６６】
例えば、ユーザが電子書籍を振るときに、電子書籍がはじめに移動した方向が鉛直上方であるか鉛直下方であるかに応じて、順送りのための入力操作と逆送りのための入力操作とをそれぞれ対応させることができる。または、例えば、電子書籍が複数個のタッチセンサを備える場合には、ユーザがいずれのタッチセンサに触れているかに応じて、複数種類の入力操作が割り当てられていてもよい。
【０１６７】
なお、電子書籍が加速度センサやジャイロセンサなどのセンサ１６５を備える場合、センサ類の入力を解析して、ユーザや電子書籍の姿勢を推定することにより、電子書籍が現在使用状態にあるか否かを判定するようにしてもよい。
【０１６８】
「電子書籍の第１２の構成例」
図２４Ａは、電子書籍の第１２の構成例を示す平面図である。図２４Ｂは、順送りが実行された後の電子書籍を示す平面図である。
【０１６９】
図２４Ａおよび図２４Ｂに示すように、電子書籍が、ユーザによる電子書籍の持ち運びに伴う振動により発電を行う発電部と、ページめくりのための入力操作により発電を行う発電機構とを備えていてもよい。
【０１７０】
図２４Ａおよび図２４Ｂに例示する電子書籍１２１では、電子書籍１２１が、ユーザによる電子書籍の持ち運びに伴う振動により発電を行う発電部１２６を備えている。また、電子書籍１２１は、筺体１２８の一部に可動部１２８ｍａおよび可動部１２８ｍｂを備えている。例えば、筺体１２８の左下側および右下側にそれぞれ設けられた可動部１２８ｍａおよび可動部１２８ｍｂは、筺体１２８の中心方向に向かって押しこむことが可能とされている。また、可動部１２８ｍａおよび可動部１２８ｍｂは、筺体１２８の中心方向に向かって押しこまれると、例えば、ばね機構などにより、もとの位置に復帰するように構成されている。
【０１７１】
筺体１２８の内部において、筺体１２８の左下側および右下側には、例えば、圧電素子１２５ａおよび圧電素子１２５ｂが、それぞれ配置されている。圧電素子１２５ａは、可動部１２８ｍａと筺体１２８の中心との間に配置され、可動部１２８ｍａが筺体１２８の中心方向に向かって押しこまれると、圧電素子１２５ａに力が加わるようにされている。同様に、圧電素子１２５ｂは、可動部１２８ｍｂと筺体１２８の中心との間に配置され、可動部１２８ｍｂが筺体１２８の中心方向に向かって押しこまれると、圧電素子１２５ｂに力が加わるようにされている。
【０１７２】
図２４Ｂに示すように、ユーザが、例えば、可動部１２８ｍｂを手のひらにぶつけるなどして可動部１２８ｍｂに衝撃力Ｐ３を与えると、圧電素子１２５ｂに力が加わるため、ユーザによる電子書籍１２１のたたき動作により、圧電素子１２５ｂが、発電を行う。したがって、電子書籍は、ユーザによる電子書籍のたたき動作を入力として、ディスプレイ部に表示する情報を書き換える。
【０１７３】
順送りのための入力操作と逆送りのための入力操作とは、例えば、可動部１２８ｍｂに対するたたき動作と可動部１２８ｍａに対するたたき動作とにそれぞれ対応させることができる。
【０１７４】
以上に説明したように、本開示によれば、電子書籍が発電機構を備えるため、ユーザが電子書籍の使用の前にあらかじめ蓄電池の充電を行う必要がなく、ユーザは、蓄電池の電池残量を気にせずに電子書籍を使用することができる。また、本開示では、電子書籍に対する画像の切り替えの指示を与えるための能動的な動作と発電とが関連づけられているため、ユーザは、特別な動作を必要とせずに電子書籍を駆動させることができる。したがって、本開示によれば、電子書籍は、ユーザによるページめくりのための入力操作により、ディスプレイ部に表示される情報の書き換えを実現することができる。
【０１７５】
さらに、本開示の構成によれば、電子書籍の形状を、例えば、平板状などの、ユーザが片手で保持しやすい形状とすることができるとともに、電子書籍の画面サイズを犠牲にすることもない。
【０１７６】
＜３．変形例＞
以上、好適な実施形態について説明してきたが、好適な具体例は、上述した説明に限定されるものではなく、各種の変形が可能である。
【０１７７】
例えば、ユーザによる画像の切り替えの指示のための動作に伴う運動エネルギや熱エネルギなどをいったん蓄積しておき、ユーザによる画像の切り替えの指示の最終段において、蓄積されたエネルギを電気エネルギに変換するようにしてもよい。
【０１７８】
図２５Ａは、電子書籍の他の構成例を示す平面図である。図２５Ｂは、順送りが実行された後の電子書籍を示す平面図である。
【０１７９】
図２５Ａおよび図２５Ｂに示すように、電子書籍１３１は、例えば、ぜんまい１３９ｆなどからなるばね機構１３９、筺体１３８の外部に露出したレバー１３８Ｒおよびストッパ１３８Ｓを備えている。
【０１８０】
ユーザが、例えば、レバー１３８Ｒをスライドさせると、レバー１３８Ｒは、ストッパ１３８Ｓによりスライド後の位置において保持される。このとき、レバー１３８Ｒの移動に伴い、ばね機構１３９のぜんまい１３９ｆが巻きあげられ、ユーザの動作に伴う運動エネルギが、ばね機構１３９のぜんまい１３９ｆに蓄積される。
【０１８１】
ユーザがストッパ１３８Ｓを解除すると、ぜんまい１３９ｆに蓄積されたエネルギが解放されるとともに、発電部１３５により、解放されたエネルギが電気エネルギに変換される。発電部１３５の発電方式は特に限定されず、例えば、上述の実施形態で挙げられた方式の適用が可能である。上述した例では、ユーザによるストッパ１３８Ｓの解除が、ユーザによる画像の切り替えのための入力操作に対応する。なお、ユーザがストッパ１３８Ｓを解除することにより、レバー１３８Ｒはもとの位置に戻る。
【０１８２】
また、例えば、電子書籍が、ぜんまいの自動巻き機構（automatic winding mechanism）を備えるようにしてもよい。このような自動巻き機構は、例えば、半導体製造技術の応用またはメカトロニクス技術の微小化により得られる微小電気機械システム（microelectromechanical system（ＭＥＭＳ））として構成されることも可能である。
【０１８３】
電子書籍が自動巻き機構を備える場合、ユーザが電子書籍を持ち運ぶことで電子書籍に振動が伝わると、該振動により、ぜんまいを巻き上げることができる。すなわち、電子書籍は、電子書籍に加えられた振動から得られるエネルギをぜんまいに蓄えておくことができる。
【０１８４】
ぜんまいに蓄えられたエネルギを、ユーザによる電子書籍の操作にあわせて解放させて電気エネルギに変換することにより、電子書籍は、ディスプレイ部に表示される情報の書き換えに必要な電力を得ることができる。
【０１８５】
上述した例では、蓄電を必要とせずに、ディスプレイ部に表示する情報を書き換えるために必要な程度の電力を発生させ、ページめくりの機能を実現することが可能となる。
【０１８６】
または、例えば、運動エネルギから電気エネルギへの変換の間に、熱エネルギへの変換を介在させてもよい。すなわち、摩擦運動を利用したり、スターリングエンジンや熱音響エンジンなどの外燃機関を利用したりすることにより、運動エネルギをいったん熱エネルギに変換し、熱電変換素子や熱電子発電素子（熱電子発電器）などに熱エネルギを供給して発電を行わせるようにしてもよい。
【０１８７】
上述の実施形態で例示したように、ユーザが熱電変換素子に温度差を与えるなど、電子書籍への入力操作に熱の移動を利用する場合は、エネルギの蓄積機構として、例えば、蓄熱材を利用することも可能である。すなわち、蓄電池に電気エネルギを蓄積することにかえ、または蓄電池に電気エネルギを蓄積するとともに、蓄熱材に熱エネルギを蓄積しておくこともできる。
【０１８８】
蓄熱材に蓄えられた熱エネルギを、ユーザによる電子書籍の操作にあわせて解放させて電気エネルギに変換することにより、電子書籍は、ディスプレイ部に表示される情報の書き換えに必要な電力を得ることができる。熱エネルギから電気エネルギへの変換において、外燃機関または内燃機関を利用してもよい。
【０１８９】
上述した例によっても、蓄電を必要とせずに、ディスプレイ部に表示する情報を書き換えるために必要な程度の電力を発生させ、ページめくりの機能を実現することが可能となる。
【０１９０】
なお、電子書籍が、独立した領域ごとに複数の発電機構からなる発電システムを備えるようにすれば、各発電機構が独立しているため、発電システムを安定化させることが可能である。
【０１９１】
また、例えば、電子書籍が、電磁誘導現象を利用した電力伝送装置または磁場共鳴もしくは電場共鳴による電力伝送装置を備えるようにしてもよい。電子書籍が、通信機能を備える表示端末であってもよい。
【０１９２】
本開示の技術は、電子書籍のほかに、例えば、ラップトップ型コンピュータ、携帯情報端末（personal digital assistance（ＰＤＡ））、スマートフォン、携帯電話、電子辞書、電子手帳などにも適用が可能である。また、本開示の技術は、可搬性のある表示装置だけでなく、建築物に設置されたデジタルサイネージなどにも適用が可能である。
【０１９３】
なお、上述の実施形態において挙げた構成、方法、形状、材料および数値などはあくまでも例に過ぎず、必要に応じてこれと異なる構成、方法、形状、材料および数値などを用いてもよい。上述の実施形態の構成、方法、形状、材料および数値などは、本開示の主旨を逸脱しない限り、互いに組み合わせることが可能である。
【０１９４】
例えば、本開示は以下のような構成もとることができる。
（１）
表示部と、
１以上の発電機構を含み、前記表示部に表示される情報の書き換えに必要な電力を発生させる発電部と、
全体として略平板状とされるとともに、前記表示部および前記発電部を格納する筺体と
を備え、
前記１以上の発電機構のうち、少なくとも１の発電機構による電力の発生とユーザによる入力操作とが、関連づけられる表示装置。
（２）
前記１以上の発電機構のうち、少なくとも１の発電機構が、振動により電力を発生させる（１）に記載の表示装置。
（３）
蓄電部をさらに備え、
前記発電部により得られた電力が、前記蓄電部に蓄えられる（１）または（２）に記載の表示装置。
（４）
第１の状態および第２の状態を有するとともに、前記第１の状態と前記第２の状態とが、前記筺体の少なくとも一部がユーザに接触しているか否かに応じて切り替えられる（１）ないし（３）のいずれか１項に記載の表示装置。
（５）
前記筺体の現在の移動方向または現在の傾きを検知するセンサをさらに備え、
第１の状態および第２の状態を有するとともに、前記第１の状態と前記第２の状態とが、前記センサの出力に応じて切り替えられる（１）ないし（３）のいずれか１項に記載の表示装置。
（６）
前記発電部により得られた電力が、前記第１の状態および前記第２の状態のうちの一方の状態において、前記蓄電部に蓄えられる（４）または（５）に記載の表示装置。
（７）
前記筺体に対して移動自在または回転自在とされた可動部材をさらに備え、
前記１以上の発電機構のうち、少なくとも１の発電機構が、前記筺体と前記可動部材との間の相対運動から発電を行う（１）ないし（６）のいずれか１項に記載の表示装置。
（８）
前記筺体と前記可動部材との間の相対運動が、前記表示部の主面と平行な面内における運動である（７）に記載の表示装置。
（９）
前記筺体が、第１の部材および第２の部材からなるとともに、前記第１の部材および前記第２の部材の間に配置される弾性機構をさらに備え、
前記１以上の発電機構のうち、少なくとも１の発電機構が、前記第１の部材に対して前記第２の部材の少なくとも一部が傾けられることにより発電を行う（１）ないし（６）のいずれか１項に記載の表示装置。
（１０）
前記筺体に設けられた開口部から一部が外部に露出する回転体をさらに備え、
前記１以上の発電機構のうち、少なくとも１の発電機構が、前記回転体の回転により発電を行う（１）ないし（６）のいずれか１項に記載の表示装置。
（１１）
ローラの組と、
前記ローラの組の外周面に配置されるとともに、前記ローラの組を構成する個々のローラの回転に従って移動自在とされ、前記筺体に設けられた開口部から一部が外部に露出するベルトと
をさらに備え、
前記１以上の発電機構のうち、少なくとも１の発電機構が、前記ローラの組を構成するローラのうち、少なくとも１のローラの回転により発電を行う（１）ないし（６）のいずれか１項に記載の表示装置。
（１２）
前記発電部および前記筺体が、可撓性を有し、
前記１以上の発電機構のうち、少なくとも１の発電機構が、前記発電部に加えられる屈曲により発電を行う（１）ないし（６）のいずれか１項に記載の表示装置。
（１３）
前記１以上の発電機構のうち、少なくとも１の発電機構が、前記筺体における第１の領域と前記筺体における第２の領域との間の温度差により発電を行う（１）ないし（６）のいずれか１項に記載の表示装置。
（１４）
前記表示部に表示される情報の書き換え指示のための信号が、前記１以上の発電機構のうちの少なくとも１の発電機構により発生させられる、電気信号としての電力である（１）ないし（１３）のいずれか１項に記載の表示装置。
【符号の説明】
【０１９５】
１，２・・・電子書籍
３・・・ディスプレイ部
５，６・・・発電部
７，８・・・筺体
９・・・蓄電部
【図１】
0005908239.tif 000002
【図２】
0005908239.tif 000003
【図３】
0005908239.tif 000004
【図４】
0005908239.tif 000005
【図５】
0005908239.tif 000006
【図６】
0005908239.tif 000007
【図７】
0005908239.tif 000008
【図８】
0005908239.tif 000009
【図９】
0005908239.tif 000010
【図１０】
0005908239.tif 000011
【図１１】
0005908239.tif 000012
【図１２】
0005908239.tif 000013
【図１３】
0005908239.tif 000014
【図１４】
0005908239.tif 000015
【図１５】
0005908239.tif 000016
【図１６】
0005908239.tif 000017
【図１７】
0005908239.tif 000018
【図１８】
0005908239.tif 000019
【図１９】
0005908239.tif 000020
【図２０】
0005908239.tif 000021
【図２１】
0005908239.tif 000022
【図２２】
0005908239.tif 000023
【図２３】
0005908239.tif 000024
【図２４】
0005908239.tif 000025
【図２５】
0005908239.tif 000026